(57)【特許請求の範囲】
【請求項１】
角に貫通孔１１が形成された複数の印刷回路基板１０と、
前記印刷回路基板１０の角が挿入されて固定される複数のスロット２１が形成され、前記印刷回路基板１０の貫通孔１１が露出するように長さ方向に長く固定溝２２が形成された印刷回路基板の固定部２０と、
前記固定溝２２に沿って案内され、夫々の印刷回路基板１０の貫通孔１１を通過する締結手段３０と、を含んで形成されていることを特徴とする多層印刷回路基板の固定構造。
【請求項２】
一対の前記固定部２０が一定距離離隔され、前記印刷回路基板１０の両端を固定していることを特徴とする請求項１に記載の多層印刷回路基板の固定構造。
【請求項３】
前記固定部２０には、前記印刷回路基板１０がより安定的に固定されるように、内側に一定深さの安着部２３が形成されていることを特徴とする請求項２に記載の多層印刷回路基板の固定構造。
【請求項４】
前記固定部２０には、前記安着部２３に複数の通気部２４が形成されていることを特徴とする請求項３に記載の多層印刷回路基板の固定構造。
【発明の詳細な説明】
【技術分野】
【０００１】
本発明は、多層印刷回路基板の固定構造に関し、より詳細には、スロットが形成された印刷回路基板の固定部を利用して、簡単な構造を有しながらも締結力に優れた多層印刷回路基板の固定構造に関する。
【０００２】
前記印刷回路基板（Printed Circuit Board）は、集積回路、抵抗器またはスイッチなどの電気的部品が半田付けられる薄い板を指し、コンピューター部品だけでなく、多様な分野において利用されている。
【背景技術】
【０００３】
前記印刷回路基板を固定するための固定構造を図１に図示した。図１に図示した一般的な多層印刷回路基板１１０の固定構造は、印刷回路基板１１０が固定される印刷回路基板ケース１２０と、角に貫通孔１１１が形成された印刷回路基板１１０と、突出部１３１が形成されたボルト１３０と、前記ボルト１３０を固定するナット１３２とからなる。
【０００４】
図１に図示された多層印刷回路基板の固定構造は、印刷回路基板を互いに固定させるために、前記ボルトの突出部が前記印刷回路基板の貫通孔に挿入され、前記印刷回路基板がナットによって前記印刷回路基板ケースに固定される構造を有する。
【０００５】
図１に図示されたように、突出部が形成されたボルトを利用して複数個の印刷回路基板を連結する場合、締結部材の数が増加するにつれて締結作業時間が増加し、生産コストが増加するという問題点がある。
【０００６】
また、前記ボルトのような部品の場合、振動のような連続的な疲労によって強度が弱くなり、適宜な固定力を維持することができないという問題点がある。
【０００７】
一方、電気自動車またはハイブリッド自動車に利用されるバッテリー制御装置に用いられる印刷回路基板は、用いられる印刷回路基板の数が多く、自動車の小型化の傾向によって狭い空間に多数の印刷回路基板を装着しなければならないが、従来技術の方法では固定力が低く、印刷回路基板を固定するための作業に長時間が要されるため、生産性が非常に低下するという問題点がある。
【発明の概要】
【発明が解決しようとする課題】
【０００８】
本発明は、上述のような問題点を解決するために導き出されたものであり、本発明の目的は、スロットが形成された印刷回路基板の固定部を利用して、一度の締結で多数の印刷回路基板を簡単に固定できるようにして、組立及び分解作業の効率性を高めることができ、印刷回路基板の固定力を高め、変形及び破損を予め防止することができる多層印刷回路基板の固定構造を提供することにある。
【課題を解決するための手段】
【０００９】
上述の目的を果たすための本発明の多層印刷回路基板の固定構造は、角に貫通孔１１が形成された複数の印刷回路基板１０と、前記印刷回路基板１０の角が挿入されて固定される複数のスロット２１が形成され、前記印刷回路基板１０の貫通孔１１が露出するように長さ方向（lateral direction）に長く（細長い）固定溝２２が形成された印刷回路基板の固定部２０と、前記固定溝２２に沿って案内され、夫々の印刷回路基板１０の貫通孔１１を通過する締結手段３０と、を含んで形成されていることを特徴とする。
【００１０】
また、一対の前記固定部２０が一定距離離隔され、前記印刷回路基板１０の両端を固定するものであることを特徴とする。
【００１１】
尚、前記印刷回路基板の固定部２０は、前記印刷回路基板１０がより安定的に固定されるように、内側に一定深さの安着部(seating portion)２３が形成されていることを特徴とする。
【００１２】
また、前記印刷回路基板の固定部２０は、前記安着部２３に複数の通気部(ventilation portion)２４が形成されたものであることを特徴とする。
【発明の効果】
【００１３】
これにより、本発明の多層印刷回路基板の固定構造は、スロットが形成された印刷回路基板の固定部を利用して、一度の締結で多数の印刷回路基板を強固かつ容易に締結することができ、簡単な構成で組立部品の数を画期的に低減させ、多層印刷回路基板の組立及び分解作業の効率性を高めることができる長所を有する。
【００１４】
また、本発明の多層印刷回路基板の固定構造は、締結力を高めることにより、変形及び破損を予め防止することができる長所を有する。
【図面の簡単な説明】
【００１５】
【図１】従来の印刷回路基板の固定構造を示した斜視図である。
【図２】本発明による多層印刷回路基板の固定構造を示した結合斜視図である。
【図３】図２に示した多層印刷回路基板の固定構造を示した分解斜視図である。
【図４】本発明による印刷回路基板の固定部の斜視図である。
【図５】本発明による印刷回路基板の固定部の平面図である。
【発明を実施するための形態】
【００１６】
以下、本発明による多層印刷回路基板１０の固定構造を添付された図面を参照して詳細に説明する。
【００１７】
図２は本発明による多層印刷回路基板１０の固定構造を示した結合斜視図である。本発明の多層印刷回路基板１０の固定構造は、印刷回路基板１０と、前記多数の印刷回路基板１０を固定する印刷回路基板の固定部２０と、締結手段３０とからなる。
【００１８】
最近、燃料電池のような部品に利用される印刷回路基板１０の場合、一つでなく、多数の印刷回路基板１０が積層されて利用する場合が多く、これにより、自動車のように連続的な振動が発生する環境に適する多層印刷回路基板１０の固定手段が求められている。
【００１９】
本発明は、印刷回路基板の固定部２０を利用して簡単ながらも強固に多層印刷回路基板１０を固定することができ、以下でより詳細に説明する。
【００２０】
前記印刷回路基板１０は締結のために、角に貫通孔１１が形成される。
【００２１】
前記印刷回路基板の固定部２０は、前記印刷回路基板１０の角が挿入されて固定される複数のスロット２１が形成され、前記貫通孔１１が露出するように長さ方向に長く形成される固定溝２２を有する。
【００２２】
前記スロット２１は前記印刷回路基板１０の厚さに応じて調節され、図２に図示されたように、前記スロット２１に前記印刷回路基板１０の角が挿入される。
【００２３】
前記締結手段３０は前記固定溝２２に沿って案内され、夫々の印刷回路基板１０の貫通孔１１を通過して固定される。図２では前記締結手段３０がボルト及びナットである場合を図示したが、前記締結手段３０は、その他にも、前記印刷回路基板１０の貫通孔１１を通過して夫々を固定することができる手段であれば制限されずに用いられることができる。
【００２４】
コネクター４０は前記印刷回路基板１０間の電気的連結のための手段であり、多様に形成されることができる。
【００２５】
上述したように、本発明は、簡単な構成で組立部品の数を画期的に低減させ、多層印刷回路基板の組立及び分解作業の効率性を高めることができる長所を有する。
【００２６】
図３は図２に図示した多層印刷回路基板１０の固定構造を示した分解斜視図であり、本発明の多層印刷回路基板１０の固定構造は、前記印刷回路基板の固定部２０のスロット２１に前記印刷回路基板１０の角が挿入され、前記印刷回路基板１０の角に形成された貫通孔１１に締結手段３０が挿入結合されることにより、前記印刷回路基板の固定部２０に前記複数の印刷回路基板１０が固定される。
【００２７】
図３に図示されたように、前記印刷回路基板の固定部２０は、一対が一定距離離隔されて前記印刷回路基板１０の両端を固定することにより、結合力をより高め、振動による変形などを予め防止するようにすることが好ましい。
【００２８】
図４は本発明による印刷回路基板の固定部２０の斜視図であり、前記印刷回路基板の固定部２０は、前記印刷回路基板１０がより安定的に固定されるように、前記印刷回路基板１０が挿入される内側に一定深さの安着部２３が形成されることが好ましい。
【００２９】
前記印刷回路基板１０の角は前記印刷回路基板の固定部２０のスロット２１に挿入され、前記安着部２３が形成されることにより、前記印刷回路基板１０の固定力をさらに高めることができる。また、前記印刷回路基板１０は、前記印刷回路基板の固定部２０の前記安着部２３によって一側面が支持され、挿入される長さが調節される。
【００３０】
前記印刷回路基板の固定部２０は、前記安着部２３に複数の通気部２４が形成される。
【００３１】
前記通気部２４は、前記印刷回路基板の固定部２０の一対が離隔されて備えられる場合、前記印刷回路基板１０の両端を固定することによって発生する通気性の低下を防止するように、前記印刷回路基板の固定部２０に多数個が形成され、前記多層印刷回路基板１０の作動時に発生する熱などが容易に排出されるようにすることが好ましい。
【００３２】
図５は本発明による印刷回路基板の固定部２０の平面図で、図５に示された図面は前記印刷回路基板の固定部２０の上面から見た平面図であり、前記印刷回路基板の貫通孔が露出するように長さ方向に長く固定溝が形成される。
【００３３】
本発明は上述した実施例に限定されず、適用範囲が多様であることは勿論、請求範囲で請求する本発明の要旨を外れることなく、多様な変形実施が可能であることは勿論である。
【符号の説明】
【００３４】
１０  印刷回路基板
１１  貫通孔
２０  印刷回路基板の固定部
２１  スロット
２２  固定溝
２３  安着部
２４  通気部
３０  締結手段
４０  コネクター
【図１】
0005148755.tif 000002
【図２】
0005148755.tif 000003
【図３】
0005148755.tif 000004
【図４】
0005148755.tif 000005
【図５】
0005148755.tif 000006